(57)【要約】【課題】静電ミストを確実に発生させることができるとともに安全性の向上し、バイパス吹出管上部への指の侵入による引っ掛りを防止することができ、外れや破損の危険をなくした空気調和機を提供すること。【解決手段】室内空気を吸い込む吸込口２ａ，２ｂと、この吸込口２ａ，２ｂより吸い込んだ空気に含まれる塵埃を除去するプレフィルタ５と、吸い込んだ空気と熱交換する熱交換器６と、熱交換器６で熱交換された空気を搬送する送風ファン８と、送風ファン８から送風された空気を吹き出す吹出口１０と、吸込口２ａ，２ｂと吹出口１０を連通する主流路２０と、を有する空気調和機の室内機に、主流路２０から分離する隔壁４６ｃと、分離された開放空間に静電ミストを発生させる静電霧化装置１８Ａを設け、さらに前記静電霧化装置１８Ａのバイパス吹出管２２ｄの上側空間部Ｈを塞ぐように保護壁２２ｆを設けて構成した。【選択図】図３
2010014324.tif 000002
【特許請求の範囲】
【請求項１】
室内空気を浄化する空気清浄機能を有する室内機を備えた空気調和機であって、前記室内機が、室内空気を吸い込む吸込口と、該吸込口より吸い込んだ空気に含まれる塵埃を除去するプレフィルタと、吸い込んだ空気と熱交換する熱交換器と、該熱交換器で熱交換された空気を搬送する送風ファンと、該送風ファンから送風された空気を吹き出す吹出口と、前記吸込口と前記吹出口とを連通する主流路とを備え、前記主流路をバイパスするバイパス流路と、該バイパス流路を前記主流路から分離する隔壁と、前記バイパス流路に設けられ静電ミストを発生させる静電霧化装置をさらに備えた空気調和機において、前記静電霧化装置のバイパス吹出管の上側空間部を塞ぐように保護壁を設けたことを特徴とする空気調和機。
【請求項２】
前記静電霧化装置のバイパス吹出管の保護壁を二重で一体構成にしたことを特徴とする請求項１に記載の空気調和機。
【請求項３】
前記バイパス吹出管の二重構成の保護壁間の外巾を前記バイパス吹出管の外周の径に対し同等以上の寸法になるように設けたことを特徴とする請求項２に記載の空気調和機。
【発明の詳細な説明】
【技術分野】
【０００１】
本発明は、室内空気を浄化する空気清浄機能を有する室内機を備えた空気調和機に関する。
【背景技術】
【０００２】
従来の空気調和機には脱臭機能を備えたものがあり、例えば室内機の吸込口に設けた空気清浄用プレフィルタにより臭気成分を吸着したり、送風路の途中に設けた酸化分解機能を有する脱臭ユニットにより臭気成分を吸着したりしている。
【０００３】
しかしながら、脱臭機能を有する空気調和機は、吸込口から吸い込まれた空気中に含まれる臭気成分を取り除いて脱臭するため、室内の空気中に含まれる臭気成分や、カーテンや壁等に付着した臭気成分を除去することはできなかった。
【０００４】
そこで、室内機の送風路に静電霧化装置を設け、静電霧化装置により発生した粒子径がナノメートルサイズの静電ミストを空気とともに室内に吹き出すことで、室内空気に含まれる臭気成分や、カーテンや壁等に付着した臭気成分を除去するようにした空気調和機も提案されている（例えば、特許文献１あるいは２参照。）。
【０００５】
このような空気調和機においては、静電霧化装置は吸込口あるいは吹出口の近傍や、熱交換器あるいは室内ファンの下流側に配置されている。
【０００６】
また、静電霧化装置としては、毛細管現象により水を搬送する水搬送部と、吸熱面で空気を冷却して発生した結露水を水搬送部に供給する熱交換部と、水搬送部が搬送する水に対して電圧を印加する印加電極と、水搬送部に対向する対向電極と、印加電極と対向電極との間に高電圧を印加する高電圧印加部とを備え、水を補給することなく継続的に使用可能なものが提案されている（例えば、特許文献３参照。）。
【特許文献１】特開２００５−２８２８７３号公報
【特許文献２】特開２００６−２３４２４５号公報
【特許文献３】特開２００５−１３１５４９号公報
【発明の開示】
【発明が解決しようとする課題】
【０００７】
空気調和機の場合、冷房時においては、室内機の熱交換器を通過した低温の空気は相対湿度が高く、例えば静電霧化装置において、水分を補給するためにペルチェ素子を備えた場合に、ペルチェ素子のピン状の放電電極のみならずペルチェ素子全体に結露が発生しやすくなることから、ペルチェ素子に高電圧を印加すること自体に高い安全性を保障できない。一方、暖房時においては、熱交換器を通過した高温の空気は相対湿度が低いため、放電電極に結露しない可能性が極めて高い。
【０００８】
したがって、特許文献１あるいは２に記載の空気調和機のように、静電霧化装置を吸込口あるいは吹出口の近傍や、熱交換器あるいは室内ファンの下流側に配置した構成のものにあっては、運転モードに関係なく、すなわち季節に関係なく静電霧化現象により静電ミストを確実に発生させつつ高い安全性を保障するには依然改善の余地がある。
【０００９】
本発明は、従来技術の有するこのような問題点に鑑みてなされたものであり、静電ミストを確実に発生させることができるとともに安全性を向上した空気調和機を提供することを目的としている。
【課題を解決するための手段】
【００１０】
上記目的を達成するために、本発明のうちで請求項１に記載の発明は、室内空気を浄化する空気清浄機能を有する室内機を備えた空気調和機であって、前記室内機が、室内空気を吸い込む吸込口と、該吸込口より吸い込んだ空気に含まれる塵埃を除去するプレフィルタと、吸い込んだ空気と熱交換する熱交換器と、該熱交換器で熱交換された空気を搬送する送風ファンと、該送風ファンから送風された空気を吹き出す吹出口と、前記吸込口と前記吹出口とを連通する主流路とを備え、前記主流路をバイパスするバイパス流路と、該バイパス流路を前記主流路から分離する隔壁と、前記バイパス流路に設けられ静電ミストを発生させる静電霧化装置をさらに備えた空気調和機において、前記静電霧化装置のバイパス吹出管の上側空間部を塞ぐように保護壁を設けたことを特徴とする。
【００１１】
これにより、空気調和機の運転モードに関わらず、すなわち、季節に関係なく静電ミストを安定的に発生させることができ、その上で、バイパス吹出管の上側空間部を塞ぐように保護壁を設けることにより、前記バイパス吹出管上部への指の侵入による引っ掛りを防止することができ、外れや破損の危険をなくすことができる。
【発明の効果】
【００１２】
本発明によれば、主流路とバイパス流路を隔壁で分離し、静電ミストを発生させる静電霧化装置をバイパス流路に設けたので、熱交換器を通過せず温湿度調整がなされていない空気が静電霧化装置に供給されるので、冷房時においては静電霧化ユニットのペルチェ素子全体に結露が発生することを有効に防止することで安全性が向上するとともに、暖房時においては静電ミストを確実に発生させることができ、空気調和機の運転モードに関わらず、すなわち、季節に関係なく静電ミストを安定的に発生させることができる。
【００１３】
その上で、バイパス吹出管の上側空間部を塞ぐように保護壁を設けることにより、前記バイパス吹出管上部への指の侵入による引っ掛りを防止することができ、外れや破損の危険をなくすことができる。
【発明を実施するための最良の形態】
【００１４】
第１の発明は、主流路とバイパス流路を隔壁で分離し、静電ミストを発生させる静電霧化装置をバイパス流路に設けたので、熱交換器を通過せず温湿度調整がなされていない空気が静電霧化装置に供給されるので、冷房時においては静電霧化ユニットのペルチェ素子全体に結露が発生することを有効に防止することで安全性が向上するとともに、暖房時においては静電ミストを確実に発生させることができ、空気調和機の運転モードに関わらず、すなわち、季節に関係なく静電ミストを安定的に発生させることができ、さらに、バイパス吹出管の上側空間部を塞ぐように保護壁を設けることにより、前記バイパス吹出管上部への指の侵入による引っ掛りを防止することができ、外れや破損の危険をなくすことができる。
【００１５】
第２の発明は、静電霧化装置のバイパス吹出管の保護壁を二重で一体構成にしたことにより、バイパス吹出管単体の剛性を上げながら空間部を塞ぐことができる。
【００１６】
第３の発明は、バイパス吹出管の二重構成の保護壁間の外巾を前記バイパス吹出管の外周の径に対し同等以上の寸法になるように設けることにより、前記バイパス吹出管の外周部への指の引っ掛かりシロをゼロにすることができ、より安定した強度を確保することができる。
【００１７】
以下、本発明の実施の形態について、図面を参照しながら説明する。なお、この実施の形態によってこの発明が限定されるものではない。
【００１８】
（実施の形態１）
空気調和機は、通常冷媒配管で互いに接続された室外機と室内機とで構成されており、図１、図２は、本発明にかかる空気調和機の室内機を示している。図１は室内機の正面図で、左側のＣ部を前面パネルを外した状態の透し部分として示している。図２は断面図である。また、図３は図１のＣ部の拡大図で、図４は室内機の本体カバーを外した状態の側面図である。
【００１９】
図２に示されるように、室内機は、本体２に室内空気を吸い込む吸込口として前面吸込口２ａ及び上面吸込口２ｂを有し、前面吸込口２ａには開閉自在の可動前面パネル（以下、単に前面パネルという）４を有しており、空気調和機停止時は、前面パネル４は本体２に密着して前面吸込口２ａを閉じているのに対し、空気調和機運転時は、前面パネル４は本体２から離反する方向に移動して前面吸込口２ａを開放する。
【００２０】
本体２の内部には、前面吸込口２ａ及び上面吸込口２ｂの下流側に設けられ空気中に含まれる塵埃を除去するためのプレフィルタ５と、このプレフィルタ５の下流側に設けられ前面吸込口２ａ及び上面吸込口２ｂから吸い込まれた室内空気と熱交換するための熱交換器６と、熱交換器６で熱交換した空気を搬送するための送風ファン８と、送風ファン８から送風された空気を室内に吹き出す吹出口１０を開閉するとともに空気の吹き出し方向を上下に変更する上下羽根１２と、空気の吹き出し方向を左右に変更する左右羽根１４とを備えている。また、前面パネル４の上部は、その両端部に設けられた複数のアーム１３を介して本体２の上部に連結されており、複数のアーム１３の一つに連結された駆動モータ（図示せず）を駆動制御することで、空気調和機運転時、前面パネル４は空気調和機停止時の位置（前面吸込口２ａの閉塞位置）から前方に向かって移動する。上下羽根１２も同様に、その両端部に設けられた複数のアーム（図示せず）を介して本体２の下部に連結されている。
【００２１】
また、図３，４に示されるように、室内機の一方の端部（室内機正面から見て左側端部で、後述する側壁４６ｂの左側）には、プレフィルタ自動清掃装置５０用の吸引装置５８が設けられており、吸引装置５８の後方には、静電ミストを発生させて室内空気を浄化する空気清浄機能を有する静電霧化装置１８Ａが設けられている。静電霧化装置１８Ａは、静電霧化ユニット３０と、静電霧化ユニット３０の高圧電源となる高電圧トランス２４と、これらを制御する制御部４２と、静電霧化ユニット３０から空気調和機の吹出口１０に連通するバイパス吹出管２２ｄとを備えている。
【００２２】
ここで、静電霧化ユニット３０の概略構成について簡単に説明する。図５に示されるように、静電霧化ユニット３０は、上部に放熱部２８を有し、下部にサイレンサ３２を配置して構成されている。また、吸引装置５８に配置された静電霧化ユニット３０と制御部４２と高電圧トランス２４は電気的に接続されている。
【００２３】
上記構成の静電霧化ユニット３０に電流を流すと、内部の放電電極の温度が低下することで放電電極に結露する。さらに、高電圧トランス２４を制御して、結露水が付着した放電電極に高電圧を印可すると、結露水に放電現象が発生して粒子径がナノメートルサイズの静電ミストが発生する。
【００２４】
ここで、図６，７はそれぞれ図３，４の静電霧化装置と吸引装置を取り外した状態の正面図及び側面図である。本実施の形態においては、図４及び図６，７に示されるように、本体２を構成する台枠４６の一方の側壁（左側壁）４６ｂと主流路２０の一方の側壁（左側壁）４８ｂとで静電霧化装置１８Ａを主流路２０から分離する構成をしている。さらに、側壁４８ｂにバイパス吹出管２２ｄのバイパス吹出口２２ｂが形成されている。
【００２５】
空気調和機の場合、冷房時においては、室内機の熱交換器６を通過した低温の空気は相対湿度が高く、一方、暖房時においては、熱交換器６を通過した高温の空気は相対湿度が低いため、ペルチェ素子の放電電極への結露状態が極めて不安定になる。
【００２６】
そこで上記構成のように、主流路２０と静電霧化装置１８Ａを側壁４６ｂで分離して設けたことにより、熱交換器６を通過せず温湿度調整がなされていない空気が静電霧化装置１８Ａに供給される。これにより、冷房時及び暖房時に関係なく静電ミストを確実に発生させることができる。
【００２７】
静電霧化装置１８Ａの下部は、台枠４６に受け具７１を介してバイパス吹出管２２ｄを固定することにより構成されている。そして、バイパス吹出管２２ｄは下方に延びて右方に折曲され、その他端は台枠４６の側壁４８ｂに設けたバイパス吹出口２２ｂに接続されている。また、主流路２０側は、送風ファン８により空気流に所定の速度が付与されることで、側壁４８ｂの左側において圧力差が生じ、主流路２０側が相対的に低圧となる負圧部となっており、側壁４８ｂの左側から主流路２０に向かって空気が誘引される。このように構成することでバイパス吹出管２２ｄを介して静電霧化ユニット１８Ａから静電ミストを主流路２０に向けて確実に誘引することができ、静電ミストを被空調室内に放出させることができる。
【００２８】
また、本実施の形態においては、図３及び図６〜９に示されるように、バイパス吹出管２２ｄの上側空間部Ｈを塞ぐように保護壁２２ｆを設けている。これにより、前記バイパス吹出管２２ｄ上部への指の侵入による引っ掛りを防止することができ、外れや破損の危険をなくすことができる。
【００２９】
さらに、バイパス吹出管２２ｄに保護壁２２ｆを二重で一体構成にすることにより、バイパス吹出管２２ｄ単体の剛性を上げながら空間部Ｈを塞ぐことができる。
【００３０】
さらに、バイパス吹出管２２ｄの二重構成の保護壁２２ｆ間の外巾Ｇ寸法（図８）を前記バイパス吹出管２２ｄの外周の径Ｆ寸法（図９）に対し同等以上の寸法になるように設けることにより、前記バイパス吹出管２２ｄの外周部への指の引っ掛かりシロをゼロにすることができ、より安定した強度を確保することができる。
【００３１】
以上説明したように、上記構成によれば、主流路２０と静電霧化装置１８Ａとを側壁４６ｂで分離し、バイパス吹出管２２ｄを主流路２０の側壁４８ｂに接続することで、空気調和機の運転モードに関わらず、静電ミストを安定的に発生させることができる。さらに、バイパス吹出管２２ｄの上部空間を塞ぐ形で保護壁２２ｆを設けることにより、前記バイパス吹出管２２ｄへの応力発生を防止することができる。
【産業上の利用可能性】
【００３２】
本発明に係る空気調和機は、静電ミストを確実に発生させることができるとともに外部応力についても十分考慮しているので、一般家庭用の空気調和機を含む様々な空気調和機として極めて有用である。
【図面の簡単な説明】
【００３３】
【図１】本発明の実施の形態１における空気調和機の室内機の正面図
【図２】同空気調和機の室内機の断面図
【図３】図１のＣ部の拡大図
【図４】同空気調和機の室内機の本体カバーを外した状態の側面図
【図５】同空気調和機の静電霧化装置の正面図
【図６】図３の静電霧化装置と吸引装置を取り外した状態の正面図
【図７】図４の静電霧化装置と吸引装置を取り外した状態の側面図
【図８】同空気調和機の静電霧化装置のバイパス出口管の斜視図
【図９】同空気調和機の静電霧化装置のバイパス出口管の断面図
【符号の説明】
【００３４】
２  室内機本体
２ａ  前面吸込口
２ｂ  上面吸込口
４  前面パネル
５  プレフィルタ
６  熱交換器
８  送風ファン
１０  吹出口
１２  上下羽根
１４  左右羽根
１８Ａ  静電霧化装置
２０  主流路
２２ｂ  バイパス吹出口
２２ｄ  バイパス吹出管
２２ｅ  爪部
２２ｆ  保護壁
２４  高電圧トランス
２８  放熱部
３０  静電霧化ユニット
３２  サイレンサ
４２  制御部
４６  台枠
４６ｂ  側壁
４８ｂ  側壁
５０  プレフィルタ自動清掃装置
５８  吸引装置
７０  吐出流路部
７１  受け具
【図１】
2010014324.tif 000003
【図２】
2010014324.tif 000004
【図３】
2010014324.tif 000005
【図４】
2010014324.tif 000006
【図５】
2010014324.tif 000007
【図６】
2010014324.tif 000008
【図７】
2010014324.tif 000009
【図８】
2010014324.tif 000010
【図９】
2010014324.tif 000011